(57)【要約】【課題】信号を送信する際の消費電力が必要以上に大きくなってしまうのを容易に回避する。【解決手段】信号送信側装置と、通信装置とを有し、信号送信側装置が通信装置を介して信号受信側装置へ信号を送信する信号送信システムにおいて、信号送信側装置から送信された信号が通信装置を介することによる当該信号の設計上の最大損失値と、信号が通信装置を介することによる当該信号の損失の実測値とから、信号送信側装置からの信号の送信電力レベルを補正するための補正量を算出する補正量算出装置を有する。信号送信側装置は、最大損失値と、補正量算出装置にて算出された補正量と、信号受信側装置が信号を受信する際に当該信号を正しく認識できる電力レベルとに基づいて算出される送信電力レベルで信号を送信する。【選択図】図１
2013239887.tif 000002
【特許請求の範囲】
【請求項１】
信号送信側装置と、通信装置とを有し、前記信号送信側装置が前記通信装置を介して信号受信側装置へ信号を送信する信号送信システムにおいて、
前記信号送信側装置から送信された信号が前記通信装置を介することによる当該信号の設計上の最大損失値と、前記信号が前記通信装置を介することによる当該信号の損失の実測値とから、前記信号送信側装置からの前記信号の送信電力レベルを補正するための補正量を算出する補正量算出装置を有し、
前記信号送信側装置は、前記最大損失値と、前記補正量算出装置にて算出された補正量と、前記信号受信側装置が信号を受信する際に当該信号を正しく認識できる電力レベルとに基づいて算出される送信電力レベルで信号を送信する信号送信システム。
【請求項２】
請求項１に記載の信号送信システムにおいて、
前記通信装置は、複数の前記信号受信側装置のそれぞれと接続するための複数のポートを備え、
前記補正量算出装置は、前記最大損失値と、前記信号が前記複数のポートのそれぞれを介することによる当該信号の損失の実測値のうち最大の実測値とから、前記補正量を算出する信号送信システム。
【請求項３】
請求項１に記載の信号送信システムにおいて、
前記通信装置は、前記信号送信側装置に対して並列に複数存在し、
前記補正量算出装置は、前記最大損失値と、前記信号が前記複数の通信装置のそれぞれを介することによる当該信号の損失の実測値のうち最大の実測値とから、前記補正量を算出する信号送信システム。
【請求項４】
信号送信側装置と、通信装置と、前記信号送信側装置からの信号の送信電力レベルを補正するための補正量を算出する補正量算出装置とを有し、前記信号送信側装置が前記通信装置を介して信号受信側装置へ信号を送信する信号送信システムにおける電力レベル制御方法であって、
前記補正量算出装置が、前記信号送信側装置から送信された信号が前記通信装置を介することによる当該信号の設計上の最大損失値と、前記信号が前記通信装置を介することによる当該信号の損失の実測値とから、前記補正量を算出する算出処理と、
前記信号送信側装置が、前記最大損失値と、前記補正量算出装置にて算出された補正量と、前記信号受信側装置が信号を受信する際に当該信号を正しく認識できる電力レベルとに基づいて算出される送信電力レベルで信号を送信する処理と、を有する電力レベル制御方法。
【請求項５】
請求項４に記載の電力レベル制御方法において、
前記通信装置は、複数の前記信号受信側装置のそれぞれと接続するための複数のポートを備え、
前記算出処理は、前記補正量算出装置が、前記最大損失値と、前記信号が前記複数のポートのそれぞれを介することによる当該信号の損失の実測値のうち最大の実測値とから、前記補正量を算出する処理である電力レベル制御方法。
【請求項６】
請求項４に記載の電力レベル制御方法において、
前記通信装置は、前記信号送信側装置に対して並列に複数存在し、
前記算出処理は、前記補正量算出装置が、前記最大損失値と、前記信号が前記複数の通信装置のそれぞれを介することによる当該信号の損失の実測値のうち最大の実測値とから、前記補正量を算出する処理である電力レベル制御方法。
【発明の詳細な説明】
【技術分野】
【０００１】
本発明は、信号を送信するための信号送信システムおよび電力レベル制御方法に関する。
【背景技術】
【０００２】
複数の装置間で信号を送受信する場合において、信号を送信する側の装置である信号送信側装置から送信される信号は、信号送信側装置から送信された信号を受信する側の装置である信号受信側装置における信号の損失値を考慮した電力レベルで送信される。
【０００３】
図１０は、２つの装置間における信号の送受信の一例を説明するための図である。
【０００４】
図１０において、信号送信側装置３１０から送信された信号は、通信装置３２０を介して信号受信側装置３３０にて受信される。
【０００５】
図１０に示したような構成の場合、信号送信側装置３１０が信号を送信する際の電力レベルは、通信装置３２０の損失のばらつきを考慮し、通信装置３２０における損失値が最大となるときでも信号受信側装置３３０が信号を正しく認識できるように目標値が設定されている。
【０００６】
なお、光信号のパワーの調整に関する技術が例えば、特許文献１に開示されている。
【０００７】
特許文献１に開示されている技術では、送信装置が測定した送信パワーレベルと、受信装置からの受信パワーレベルに関する情報とに基づいて送信パワーレベルを制御する。これにより、消費電力を低減できるというものである。
【先行技術文献】
【特許文献】
【０００８】
【特許文献１】特開２０１２−０３９２８７号公報
【発明の概要】
【発明が解決しようとする課題】
【０００９】
図１０に示したような例の場合、通信装置３２０における実際の信号の損失値が、設計上の信号の最大損失値よりも小さな場合、信号送信側装置３１０が信号を送信する際の電力レベルが過大になっていることになる。この場合、信号送信側装置３１０における消費電力が必要以上に大きくなってしまうという問題点がある。
【００１０】
例えば、通信装置３２０の設計上の信号の損失値の範囲が４〜１０（ｄＢ）であり、信号受信側装置３３０が信号を受信する際の電力レベルとして０ｄＢｍ以上必要である場合を考えてみる。この場合、信号送信側装置３１０は、通信装置３２０における実際の損失値が４（ｄＢ）の場合でも、信号送信側装置３１０は、１０（ｄＢｍ）以上の電力レベルで信号を送信することになってしまう。
【００１１】
また、特許文献１に開示されている技術を用いた場合、送信パワーを制御するために、すなわち、消費電力を低減するために、受信装置から受信した光信号に合波された制御信号を分波して光信号の受信パワーレベルに関する情報を取得する等、複雑な処理が必要となるという問題点がある。
【００１２】
本発明は、信号を送信する際の消費電力が必要以上に大きくなってしまうのを容易に回避することができる信号送信システムおよび電力レベル制御方法を提供することを目的とする。
【課題を解決するための手段】
【００１３】
上記目的を達成するために本発明の信号送信システムは、信号送信側装置と、通信装置とを有し、前記信号送信側装置が前記通信装置を介して信号受信側装置へ信号を送信する信号送信システムにおいて、
前記信号送信側装置から送信された信号が前記通信装置を介することによる当該信号の設計上の最大損失値と、前記信号が前記通信装置を介することによる当該信号の損失の実測値とから、前記信号送信側装置からの前記信号の送信電力レベルを補正するための補正量を算出する補正量算出装置を有し、
前記信号送信側装置は、前記最大損失値と、前記補正量算出装置にて算出された補正量と、前記信号受信側装置が信号を受信する際に当該信号を正しく認識できる電力レベルとに基づいて算出される送信電力レベルで信号を送信する。
【００１４】
また、上記目的を達成するために本発明の電力レベル制御方法は、信号送信側装置と、通信装置と、前記信号送信側装置からの信号の送信電力レベルを補正するための補正量を算出する補正量算出装置とを有し、前記信号送信側装置が前記通信装置を介して信号受信側装置へ信号を送信する信号送信システムにおける電力レベル制御方法であって、
前記補正量算出装置が、前記信号送信側装置から送信された信号が前記通信装置を介することによる当該信号の設計上の最大損失値と、前記信号が前記通信装置を介することによる当該信号の損失の実測値とから、前記補正量を算出する算出処理と、
前記信号送信側装置が、前記最大損失値と、前記補正量算出装置にて算出された補正量と、前記信号受信側装置が信号を受信する際に当該信号を正しく認識できる電力レベルとに基づいて算出される送信電力レベルで信号を送信する処理と、を有する。
【発明の効果】
【００１５】
本発明は以上説明したように構成されているので、通信装置における信号の損失の実測値に応じ、信号送信側装置が信号を送信する際の電力レベルを制御することができる。これにより、信号を送信する際の消費電力が必要以上に大きくなってしまうのを容易に回避することができる。
【図面の簡単な説明】
【００１６】
【図１】本発明の信号送信システムを適用した信号送受信システムの第１の実施形態の構成を示すブロック図である。
【図２】図１に示した装置の一構成例を示すブロック図であり、（ａ）は通信装置の一構成例を示すブロック図、（ｂ）は補正量算出装置の一構成例を示すブロック図、（ｃ）は信号送信側装置の一構成例を示すブロック図である。
【図３】図１および図２に示した信号送受信システムの動作を説明するためのシーケンス図である。
【図４】本発明の信号送信システムを適用した信号送受信システムの第２の実施形態の構成を示すブロック図である。
【図５】図４に示した装置の一構成例を示すブロック図であり、（ａ）は通信装置の一構成例を示す図、（ｂ）は補正量算出装置一構成例を示す図である。
【図６】図４および図５に示した信号送受信システムの動作を説明するためのシーケンス図である。
【図７】本発明の信号送信システムを適用した信号送受信システムの第３の実施形態の構成を示すブロック図である。
【図８】図７に示した補正量算出装置の一構成例を示すブロック図である。
【図９】図７および図８に示した信号送受信システムの動作を説明するためのシーケンス図である。
【図１０】２つの装置間における信号の送受信の一例を説明するための図である。
【発明を実施するための形態】
【００１７】
以下に、本発明の実施の形態について図面を参照して説明する。
【００１８】
（第１の実施形態）
図１は、本発明の信号送信システムを適用した信号送受信システムの第１の実施形態の構成を示すブロック図である。
【００１９】
本実施形態の信号送受信システムは図１に示すように、信号を送信する信号送信側装置１０と、通信装置２０と、信号受信側装置３０と、補正量算出装置４０とを備えている。なお、信号とは例えば、電気信号や光信号等である。
【００２０】
図２は、図１に示した装置の一構成例を示すブロック図であり、（ａ）は通信装置２０の一構成例を示すブロック図、（ｂ）は補正量算出装置４０の一構成例を示すブロック図、（ｃ）は信号送信側装置１０の一構成例を示すブロック図である。
【００２１】
通信装置２０は図２（ａ）に示すように、記憶部２１と、通信部２２とを備えている。通信装置２０は、例えば、信号を分離したり、分散補償したりする機能を備えた装置であり、機能自体は特定されない。なお、通信装置２０は、自装置を介して信号を送信することによる信号の損失値の範囲が規定されている。この損失値の範囲は、通信装置２０の設計上定まるものである。
【００２２】
記憶部２１は、通信装置２０の出荷検査等において実測され、自装置を介して信号を送信することによる信号の損失の実測値を記憶している。
【００２３】
通信部２２は、信号送信側装置１０から送信された信号を受信する。そして、通信部２２は、受信した信号を信号受信側装置３０へ送信する。また、通信部２２は、記憶部２１にて記憶されている実測値を示す実測値情報を補正量算出装置４０へ送信する。
【００２４】
補正量算出装置４０は図２（ｂ）に示すように、記憶部４１と、通信部４２と、補正量算出部４３とを備えている。
【００２５】
記憶部４１は、通信装置２０の設計上の信号の最大損失値を記憶している。通信装置２０の設計上の信号の損失値の範囲が例えば、４〜１０（ｄＢ）であれば、記憶部４１は、１０（ｄＢ）を最大損失値として記憶している。
【００２６】
通信部４２は、通信装置２０から送信された実測値情報を受信する。また、通信部４２は、後述する補正量算出部４３にて算出された補正量を示す補正量情報を信号送信側装置１０へ送信する。
【００２７】
補正量算出部４３は、記憶部４１にて記憶されている最大損失値から、受信した実測値情報が示す実測値を減算した値である補正量を算出する。詳細は後述するが、補正量は、信号送信側装置１０が信号を送信する際の電力レベルである送信電力レベルを算出するために用いる値である。
【００２８】
信号送信側装置１０は図２（ｃ）に示すように、記憶部１１と、通信部１２と、レベル算出部１３とを備えている。
【００２９】
記憶部１１は、通信装置２０の設計上の信号の最大損失値を記憶している。通信装置２０の設計上の信号の損失値の範囲が例えば、４〜１０（ｄＢ）であれば、記憶部１１は、１０（ｄＢ）を最大損失値として記憶している。また、記憶部１１は、信号受信側装置３０が受信した信号を正しく認識するのに必要な電力レベルの下限値を受信時電力レベルとして記憶している。
【００３０】
通信部１２は、補正量算出装置４０から送信された補正量情報を受信する。また、後述するレベル算出部１３にて算出された送信電力レベルで信号を信号受信側装置３０へ送信する。
【００３１】
レベル算出部１３は、記憶部１１にて記憶されている最大損失値および受信時電力レベルと、受信した補正量情報が示す補正量とから送信電力レベルを算出する。具体的には、以下に示す式（１）を用いて送信電力レベルを算出する。
【００３２】
送信電力レベル（ｄＢｍ）＝最大損失値−補正量＋受信時電力レベル・・・式（１）
再度、図１を参照すると、信号受信側装置３０は、信号送信側装置１０から送信された信号を通信装置２０を介して受信する。
【００３３】
以下に、上記のように構成された信号送受信システムの動作について説明する。
【００３４】
ここでは、通信装置２０における設計上の信号の損失値の範囲は４〜１０（ｄＢ）であるものとする。すなわち、通信装置２０における設計上の信号の最大損失値は１０（ｄＢ）である。また、通信装置２０における信号の損失の実測値は４（ｄＢ）であるものとする。また、信号受信側装置３０の受信時電力レベルは、０（ｄＢｍ）であるものとする。
【００３５】
図３は、図１および図２に示した信号送受信システムの動作を説明するためのシーケンス図である。
【００３６】
まず、通信装置２０の通信部２２は、記憶部２１に記憶された実測値情報を補正量算出装置４０へ送信する（ステップＳ１）。
【００３７】
補正量算出装置４０の通信部４２は、通信装置２０から送信された実測値情報を受信する。
【００３８】
次に、補正量算出部４３は、記憶部４１にて記憶されている最大損失値（ここでは、１０（ｄＢ））から、通信部４２にて受信された実測値情報が示す実測値（ここでは、４（ｄＢ））を減算した補正量を算出する（ステップＳ２）。ここでは、（１０−４）により、６（ｄＢ）が補正量となる。
【００３９】
そして、補正量算出部４３は、通信部４２を介して信号送信側装置１０へ補正量情報を送信する（ステップＳ３）。
【００４０】
信号送信側装置１０の通信部１２は、補正量算出装置４０から送信された補正量情報を受信する。
【００４１】
次に、レベル算出部１３は、上述した式（１）を用いて送信電力レベルを算出する（ステップＳ４）。ここでは、（１０−６＋０）により、４（ｄＢｍ）が送信電力レベルとなる。
【００４２】
そして、通信部１２は、レベル算出部１３にて算出された送信電力レベルで信号受信側装置３０へ向けて信号を送信する（ステップＳ５）。
【００４３】
このように本実施形態においては、通信装置２０における信号の損失の実測値に応じ、信号送信側装置１０が信号を送信する際の電力レベルを制御することができる。これにより、信号を送信する際の消費電力が必要以上に大きくなってしまうのを容易に回避することができる。
【００４４】
（第２の実施形態）
図４は、本発明の信号送信システムを適用した信号送受信システムの第２の実施形態の構成を示すブロック図である。
【００４５】
本実施形態の信号送受信システムは図４に示すように、信号を送信する信号送信側装置１０と、通信装置１２０と、信号受信側装置３０ａ，３０ｂと、補正量算出装置１４０とを備えている。
【００４６】
図４に示した構成は、図１に示したものと比較すると、通信装置が２つの信号受信側装置３０ａ，３０ｂと接続している点が異なる。なお、図４では信号受信側装置の数を２つとしているが、通信装置１２０と接続される信号受信側装置の数は３つ以上であってもよい。
【００４７】
なお、図４に示した信号送信側装置１０の構成および動作は、図２（ｃ）に示した信号送信側装置１０の構成および動作と同様であるため、ここでは詳細な説明は省略する。但し、本実施形態において信号送信側装置１０の記憶部１１は、通信装置１２０の設計上の信号の最大損失値を記憶している。
【００４８】
また、信号受信側装置３０ａ，３０ｂは、同じ仕様の装置であり、受信時電力レベルは同じであるものとする。
【００４９】
図５は、図４に示した装置の一構成例を示すブロック図であり、（ａ）は通信装置１２０の一構成例を示す図、（ｂ）は補正量算出装置１４０の一構成例を示す図である。
【００５０】
通信装置１２０は図５（ａ）に示すように、記憶部１２１と、通信部１２２と、信号受信側装置３０ａ，３０ｂのそれぞれと接続されたポート１２３，１２４とを備えている。通信装置１２０は、通信装置２０と同様に、例えば、信号を分離したり、分散補償したりする機能を備えた装置であり、機能自体は特定されない。また、通信装置１２０は、ポート１２３，１２４のそれぞれを介して信号を送信することによる信号の損失値の範囲が規定されている。この損失値の範囲は、通信装置１２０の設計上定まるものである。
【００５１】
記憶部１２１は、通信装置１２０の出荷検査等において実測され、受信した信号をポート１２３，１２４のそれぞれを介することによる信号の損失の実測値を記憶している。ここでは、記憶部１２１は、ポート１２３とポート１２４とのそれぞれに対応する２つの実測値を記憶していることになる。
【００５２】
通信部１２２は、信号送信側装置１０から送信された信号を受信する。そして、通信部１２２は、受信した信号をポート１２３，１２４のそれぞれを介して信号受信側装置３０ａ，３０ｂへ送信する。また、通信部２２は、記憶部１２１にて記憶されている２つの実測値を示す情報を実測値情報として補正量算出装置１４０へ送信する。
【００５３】
補正量算出装置１４０は図５（ｂ）に示すように、記憶部１４１と、通信部１４２と、補正量算出部１４３と、選択部１４４とを備えている。
【００５４】
記憶部１４１は、通信装置１２０の設計上の信号の最大損失値を記憶している。通信装置１２０の設計上の信号の損失値の範囲が例えば、４〜１０（ｄＢ）であれば、記憶部１４１は、１０（ｄＢ）を最大損失値として記憶している。
【００５５】
通信部１４２は、通信装置１２０から送信された実測値情報を受信する。また、通信部１４２は、後述する補正量算出部１４３にて算出された補正量を示す補正量情報を信号送信側装置１０へ送信する。
【００５６】
選択部１４４は、通信部１４２にて受信された実測値情報が示す２つの実測値のうち大きな方（最大）の実測値を選択する。
【００５７】
補正量算出部１４３は、記憶部１４１に記憶されている最大損失値から、選択部１４４にて選択された実測値を減算した値を補正量として算出する。
【００５８】
以下に、上記のように構成された信号送受信システムの動作について説明する。
【００５９】
ここでは、通信装置１２０における設計上の信号の損失値の範囲は４〜１０（ｄＢ）であるものとする。すなわち、通信装置１２０における設計上の信号の最大損失値は１０（ｄＢ）である。また、通信装置１２０が備えるポート１２３，１２４のそれぞれにおける信号の損失の実測値はそれぞれ、４（ｄＢ）と７（ｄＢ）であるものとする。また、信号受信側装置３０ａ，３０ｂの受信時電力レベルは、０（ｄＢｍ）であるものとする。
【００６０】
図６は、図４および図５に示した信号送受信システムの動作を説明するためのシーケンス図である。
【００６１】
まず、通信装置１２０の通信部１２２は、記憶部１２１に記憶された実測値情報を補正量算出装置１４０へ送信する（ステップＳ２１）。
【００６２】
補正量算出装置１４０の通信部１４２は、通信装置１２０から送信された実測値情報を受信する。
【００６３】
次に、選択部１４４は、通信部１４２にて受信された実測値情報が示す２つの実測値のうち大きな方の実測値を選択する（ステップＳ２２）。ここでは、７（ｄＢ）が選択されることになる。
【００６４】
次に、補正量算出部１４３は、記憶部１４１に記憶されている最大損失値（ここでは、１０（ｄＢ））から、選択部１４４にて選択された実測値（ここでは、７（ｄＢ））を減算した補正量を算出する（ステップＳ２３）。ここでは、（１０−７）により、３（ｄＢ）が補正量となる。
【００６５】
そして、補正量算出部１４３は、通信部１４２を介して信号送信側装置１０へ補正量情報を送信する（ステップＳ２４）。
【００６６】
信号送信側装置１０の通信部１２は、補正量算出装置１４０から送信された補正量情報を受信する。
【００６７】
次に、レベル算出部１３は、上述した式（１）を用いて送信電力レベルを算出する（ステップＳ２５）。ここでは、（１０−３＋０）により、７（ｄＢｍ）が送信電力レベルとなる。
【００６８】
そして、通信部１２は、レベル算出部１３にて算出された送信電力レベルで信号受信側装置３０ａ，３０ｂへ向けて信号を送信する（ステップＳ２６）。
【００６９】
このように本実施形態においては、通信装置１２０が備える複数のポートのそれぞれにおける信号の損失の実測値に応じ、信号送信側装置１０が信号を送信する際の電力レベルを制御することができる。これにより、信号を送信する際の消費電力が必要以上に大きくなってしまうのを容易に回避することができる。
【００７０】
（第３の実施形態）
図７は、本発明の信号送信システムを適用した信号送受信システムの第３の実施形態の構成を示すブロック図である。
【００７１】
本実施形態の信号送受信システムは図７に示すように、信号を送信する信号送信側装置１０と、通信装置２０ａ，２０ｂと、信号受信側装置３０ａ，３０ｂと、補正量算出装置２４０と、分岐装置２５０とを備えている。
【００７２】
図７に示した構成は、図１に示したものと比較すると、通信装置が信号送信側装置１０に対して並列に２つ存在し、それぞれの通信装置が信号受信側装置と接続されている点が異なる。また、本実施形態においては、信号送信側装置と通信装置とは、分岐装置２５０介して接続されている。なお、図７では通信装置の数を２つとしているが、通信装置の数は３つ以上であってもよい。従って、信号受信側装置の数も３つ以上であってもよい。
【００７３】
なお、図７に示した信号送信側装置１０の構成および動作は、図２（ｃ）に示した信号送信側装置１０の構成および動作と同様であるため、ここでは詳細な説明は省略する。但し、本実施形態において信号送信側装置１０の記憶部１１は、通信装置２０ａ，２０ｂの設計上の信号の最大損失値を記憶している。
【００７４】
また、図７に示した通信装置２０ａ，２０ｂの構成および動作は、図２（ａ）に示した通信装置２０と同じなので、ここでは詳細な説明は省略する。なお、通信装置２０ａ，２０ｂは、同じ仕様の装置であり、設計上の信号の損失値の範囲は同じであるものとする。すなわち、通信装置２０ａと通信装置２０ｂとの信号の最大損失値は同じである。
【００７５】
また、信号受信側装置３０ａ，３０ｂは、同じ仕様の装置であり、受信時電力レベルは同じであるものとする。
【００７６】
図８は、図７に示した補正量算出装置２４０の一構成例を示すブロック図である。
【００７７】
図７に示した補正量算出装置２４０は図８に示すように、記憶部２４１と、通信部２４２と、補正量算出部２４３と、選択部２４４とを備えている。
【００７８】
記憶部２４１は、通信装置２０ａ，２０ｂの設計上の信号の最大損失値を記憶している。
【００７９】
通信部２４２は、通信装置２０ａ，２０ｂのそれぞれから送信された実測値情報を受信する。また、通信部２４２は、後述する補正量算出部２４３にて算出された補正量を示す補正量情報を信号送信側装置１０へ送信する。
【００８０】
選択部２４４は、通信部２４２にて受信された２つの実測値情報のそれぞれが示す２つの実測値のうち大きな方（最大）の実測値を選択する。
【００８１】
補正量算出部２４３は、記憶部２４１にて記憶されている最大損失値から、選択部２４４にて選択された実測値を減算した値を補正量として算出する。
【００８２】
以下に、上記のように構成された信号送受信システムの動作について説明する。
【００８３】
ここでは、通信装置２０ａ，２０ｂにおける設計上の信号の損失値の範囲は４〜１０（ｄＢ）であるものとする。すなわち、通信装置２０ａ，２０ｂにおける設計上の信号の最大損失値は１０（ｄＢ）である。また、通信装置２０ａ，２０ｂのそれぞれにおける信号の損失の実測値は、３（ｄＢ）と５（ｄＢ）とであるものとする。また、信号受信側装置３０ａ，３０ｂの受信時電力レベルはともに、０（ｄＢｍ）であるものとする。
【００８４】
図９は、図７および図８に示した信号送受信システムの動作を説明するためのシーケンス図である。
【００８５】
まず、通信装置２０ａ，２０ｂのそれぞれの通信部２２は、記憶部２１に記憶された実測値情報を補正量算出装置１４０へ送信する（ステップＳ４１）。
【００８６】
補正量算出装置２４０の通信部２４２は、通信装置２０ａ，２０ｂから送信された実測値情報を受信する。
【００８７】
次に、選択部２４４は、通信部２４２にて受信された２つの実測値情報のそれぞれが示す２つの実測値のうちの大きな方の実測値を選択する（ステップＳ４２）。ここでは、５（ｄＢ）が選択されることになる。
【００８８】
次に、補正量算出部２４３は、記憶部２４１に記憶している最大損失値（ここでは、１０（ｄＢ））から、選択部２４４にて選択された実測値（ここでは、５（ｄＢ））を減算した補正量を算出する（ステップＳ４３）。ここでは、（１０−５）により、５（ｄＢ）が補正量となる。
【００８９】
そして、補正量算出部２４３は、通信部２４２を介して信号送信側装置１０へ補正量情報を送信する（ステップＳ４４）。
【００９０】
信号送信側装置１０の通信部１２は、補正量算出装置２４０から送信された補正量情報を受信する。
【００９１】
次に、レベル算出部１３は、上述した式（１）を用いて送信電力レベルを算出する（ステップＳ４５）。ここでは、（１０−５＋０）により、５（ｄＢｍ）が送信電力レベルとなる。
【００９２】
そして、通信部１２は、レベル算出部１３にて算出された送信電力レベルで信号受信側装置３０ａ，３０ｂへ向けて信号を送信する（ステップＳ４６）。
【００９３】
このように本実施形態においては、複数の通信装置のそれぞれにおける信号の損失の実測値に応じ、信号送信側装置１０が信号を送信する際の電力レベルを制御することができる。これにより、信号を送信する際の消費電力が必要以上に大きくなってしまうのを容易に回避することができる。
【符号の説明】
【００９４】
１０    信号送信側装置
１１，２１，４１，１２１，１４１，２４１    記憶部
１２，２２，４２，１２２，１４２，２４２    通信部
１３    レベル算出部
２０，２０ａ，２０ｂ，１２０    通信装置
３０，３０ａ，３０ｂ    信号受信側装置
４０，１４０，２４０    補正量算出装置
４３，１４３，２４３    補正量算出部
１２３，１２４    ポート
１４４，２４４    選択部
２５０    分岐装置
【図１】
2013239887.tif 000003
【図２】
2013239887.tif 000004
【図３】
2013239887.tif 000005
【図４】
2013239887.tif 000006
【図５】
2013239887.tif 000007
【図６】
2013239887.tif 000008
【図７】
2013239887.tif 000009
【図８】
2013239887.tif 000010
【図９】
2013239887.tif 000011
【図１０】
2013239887.tif 000012